(57)【特許請求の範囲】
【請求項１】
被写体を撮影する電荷結合型の撮像素子と、前記撮像素子に対する開口部を覆う閉鎖位置及び開口部を開放する開放位置との間で移動可能な先羽根群及び後羽根群からなるシャッタと、撮影の際の被写体を確認するための光学ファインダと、前記光学ファインダへ被写体光を反射して導く反射位置と前記撮像素子へ被写体光を導く待避位置との間で可動に配置された反射ミラーと、前記撮像素子を介して得られた画像を表示する画像表示部と、撮影する際の被写体を確認するファインダとして前記光学ファインダ及び画像表示部の一方を選択するファインダ選択手段とを備えたカメラ装置であって、
前記ファインダ選択手段により前記光学ファインダ及び画像表示部の一方が選択される前の状態において、前記先羽根群を前記開放位置に位置付けると共に前記後羽根群を前記閉鎖位置に位置付け、
ファインダとして前記画像表示部が選択されたとき、前記反射ミラーを前記待避位置に位置付けると共に前記後羽根群を前記開放位置に位置付け、
前記撮像素子により被写体を連続して撮影する連続撮影の際には、前記反射ミラーを前記待避位置に保持した状態で、先ず前記先羽根群を前記閉鎖位置に移動させ、その後、前記先羽根群を前記開放位置に移動させた後に前記後羽根群を前記閉鎖位置に移動させ続いて前記開口部を開放した状態を形成するべく先に前記後羽根群を前記開放位置に向けて移動させた後に前記先羽根群を前記閉鎖位置に向けて移動させる動作を繰り返すように、
前記反射ミラー及びシャッタを駆動する連続撮影駆動手段を有する、
ことを特徴とするカメラ装置。
【請求項２】
前記連続撮影駆動手段は、
連続撮影の際に、前記反射ミラーを前記待避位置に位置付けて保持するように駆動するミラー駆動手段と、
連続撮影の際に、前記シャッタのチャージ及びチャージの解除を繰り返し行なわせるように前記シャッタを駆動するシャッタ駆動手段と、を有する、
ことを特徴とする請求項１に記載のカメラ装置。
【請求項３】
前記ミラー駆動手段は、前記反射ミラーの一部に一端が係合した状態で揺動自在に配置された第１揺動レバーと、前記第１揺動レバーの他端と係合しかつ回転駆動により前記反射ミラーを前記反射位置及び待避位置との間で移動させると共に連続撮影の際に前記反射ミラーを前記待避位置に保持するカム高さをもつ第１カム部材と、を有し、
前記シャッタ駆動手段は、前記シャッタを駆動する駆動レバーと、前記シャッタのチャージをセットするべく前記駆動レバーに係合し得るように回動自在に配置されたセットレバーと、前記セットレバーの一部に一端が係合した状態で揺動自在に配置された第２揺動レバーと、前記第２揺動レバーの他端と係合しかつ連続撮影の際に回転駆動により前記シャッタのチャージをセットするセット位置と前記シャッタのチャージを解除可能な解除位置との間で前記セットレバーを繰り返し往復動させ得るカム高さをもつ第２カム部材と、を有する、
ことを特徴とする請求項２に記載のカメラ装置。
【請求項４】
前記駆動レバーは、前記後羽根群を閉鎖位置に移動させるように付勢された後羽根駆動レバーと、前記先羽根群を閉鎖位置に移動させるように付勢された第１先羽根駆動レバーと、前記第１先羽根駆動レバーに係合して前記先羽根群を開放位置に移動させるように付勢された第２先羽根駆動レバーと、を有し、
前記セットレバーは、シャッタのチャージをセットする際に、前記後羽根駆動レバー及び第２先羽根駆動レバーを前記セット位置に移動させ、かつ、前記先羽根群を開放位置に位置付けるべく前記第１先羽根駆動レバーの移動を規制するように、前記後羽根駆動レバー、第１先羽根駆動レバー及び第２先羽根駆動レバーのそれぞれに係合し得る係合部を有する、
ことを特徴とする請求項３に記載のカメラ装置。
【請求項５】
前記第１カム部材及び第２カム部材は、２つの歯車にそれぞれ一体的に形成されており、
前記２つの歯車は、一つの駆動モータにより連動して駆動される、
ことを特徴とする請求項３に記載のカメラ装置。
【請求項６】
前記駆動モータは、連続撮影の際に、所定の角度範囲において回転方向が交互に切り替えられる、
ことを特徴とする請求項５に記載のカメラ装置。
【発明の詳細な説明】
【０００１】
【発明の属する技術分野】
本発明は、光学式のファインダ機能を備えた一眼レフタイプのカメラ装置に関し、特に、被写体を連続して撮影するモードを備えた一眼レフタイプのカメラ装置に関する。
【０００２】
【従来の技術】
従来の一眼レフタイプのカメラ装置としては、フィルムあるいは撮像素子（ＣＣＤ）からなる撮影媒体に対する遮光及び露光の動作を行なうシャッタ、撮影に際して被写体を確認（フレーミング等）するための光学ファインダ、この光学ファインダに被写体光を反射して導く反射位置と撮影媒体に被写体光を導く待避位置との間で揺動可能に配置された反射ミラー、シャッタのチャージを行なう機構、反射ミラーを撮影の際に待避位置へ又光学ファインダを覗き込む際に反射位置へそれぞれ移動させる機構等を備えたものが知られている。
【０００３】
このカメラ装置においては、反射ミラーの移動動作とシャッタのチャージ及びその解除（レリーズ）を行なう動作とが常に連動する構成になっているため、連続して撮影を行なう連続撮影の場合に、シャッタの動作に連動して撮影毎に反射ミラーが反射位置と待避位置との間を往復動させられることになる。
【０００４】
また、上記の構成要素を含むカメラ装置において、さらに反射ミラーを待避位置へ移動させる手動ノブを設け、シャッタと反射ミラーとの連動動作を切り離すことができるようにした構成のものが知られている。
このカメラ装置においては、連続撮影の際に、この手動ノブを作動させて反射ミラーを待避位置へ移動させ、その後、シャッタのチャージ及びその解除の動作のみにより連続して撮影を行なうことができるものである。
【０００５】
【発明が解決しようとする課題】
ところで、上記従来のカメラ装置においては、連続撮影の際に、反射ミラーが反射位置と待避位置との間を撮影毎に往復動するため、この反射ミラーの往復動による衝撃音等を生じることで品質が劣り、あるいは、反射ミラーの往復動により誘発される振動によって手振れ等を生じ、目標とする被写体を確実に撮影することができない場合があった。また、反射ミラーの往復動そのものに時間を要し、あるいは、待避位置において反射ミラーがバウンドした状態から収束するまでに時間を要するため、撮影毎に要する時間が長くなり、単位時間当たりの連続撮影コマ数が制限されるという問題があった。
【０００６】
また、手動ノブを備えたカメラ装置においては、連続撮影の際には反射ミラーが往復動しないため、上記のような問題点は解消されるものの、連続撮影を行なう前後において手動ノブの操作を行なわなければならず、手動ノブの操作そのものが煩わしいのは勿論のこと、素早く連続撮影を行ないたい場合に、手動ノブの操作に時間を要してそのタイミングを逃してしまうという問題があった。
【０００７】
本発明は、上記従来技術の問題点に鑑みて成されたものであり、その目的とするところは、構造の複雑化を招くことなく、装置の静音化を図ると共に瞬時に連続撮影を行なうことができ、又、単位時間当たりの連続撮影のコマ数を増加させることができ、全体として、撮影の際の取り扱い性、利便性等を向上させることのできる一眼レフタイプのカメラ装置を提供することにある。
【００１３】
【課題を解決するための手段】
本発明のカメラ装置は、被写体を撮影する電荷結合型の撮像素子と、撮像素子に対する開口部を覆う閉鎖位置及び開口部を開放する開放位置との間で移動可能な先羽根群及び後羽根群からなるシャッタと、撮影の際の被写体を確認するための光学ファインダと、光学ファインダへ被写体光を反射して導く反射位置と撮像素子へ被写体光を導く待避位置との間で可動に配置された反射ミラーと、撮像素子を介して得られた画像を表示する画像表示部と、撮影する際の被写体を確認するファインダとして光学ファインダ及び画像表示部の一方を選択するファインダ選択手段とを備えたカメラ装置であって、ファインダ選択手段により光学ファインダ及び画像表示部の一方が選択される前の状態において、先羽根群を開放位置に位置付けると共に後羽根群を閉鎖位置に位置付け、ファインダとして画像表示部が選択されたとき、反射ミラーを待避位置に位置付けると共に後羽根群を開放位置に位置付け、撮像素子により被写体を連続して撮影する連続撮影の際には、反射ミラーを待避位置に保持した状態で、先ず先羽根群を閉鎖位置に移動させ、その後、先羽根群を開放位置に移動させた後に後羽根群を閉鎖位置に移動させ続いて開口部を開放した状態を形成するべく先に後羽根群を開放位置に向けて移動させた後に先羽根群を閉鎖位置に向けて移動させる動作を繰り返すように、反射ミラー及びシャッタを駆動する連続撮影駆動手段を有する、ことを特徴としている。
上記構成によれば、反射ミラー及びシャッタ（先羽根群及び後羽根群）を駆動する連続撮影駆動手段により、ファインダ選択手段により光学ファインダ及び画像表示部の一方が選択される前の状態においては先羽根群が開放位置に位置付けられると共に後羽根群が閉鎖位置に位置付けられ、ファインダとして画像表示部が選択されたときには反射ミラーが待避位置に位置付けられると共に後羽根群が開放位置に位置付けられ、連続撮影の際（例えば、連続撮影のモードが選択された場合）には、反射ミラーが待避位置に保持された状態で、先ず先羽根群が閉鎖位置に移動させられ、その後先羽根群が開放位置に移動させられた後に後羽根群が閉鎖位置に移動させられ続いて開口部を開放した状態を形成するべく先に後羽根群が開放位置に向けて移動させられた後に先羽根群が閉鎖位置に向けて移動させられる動作が繰り返えされるように、シャッタのチャージ及びその解除（レリーズ）動作が繰り返し行なわれることになる。したがって、反射ミラーが連動して往復動する場合に生じる衝撃音あるいは振動さらにはバウンド等を招くことなく、撮像素子に対して迅速に連続撮影を行なうことができる。また、１コマ毎の撮影の間において、先に後羽根群が開放位置に向けて移動させられた後に先羽根群が閉鎖位置に向けて移動させられる（すなわち、開口部は開放されて被写体が画像表示部に表示される）ため、撮影者はファインダとしての画像表示部で被写体を確認しながら連写を行うことができる。
【００１４】
上記構成において、連続撮影駆動手段が、連続撮影の際に反射ミラーを待避位置に位置付けて保持するように駆動するミラー駆動手段と、連続撮影の際にシャッタのチャージ及びチャージの解除を繰り返し行なわせるようにシャッタを駆動するシャッタ駆動手段とを有する、構成を採用することができる。
上記構成によれば、連続撮影の際（例えば、連続撮影のモードが選択された場合）に、ミラー駆動手段が反射ミラーを待避位置に保持し続けるように作動し、一方、シャッタ駆動手段がシャッタに対してそのチャージ及びチャージの解除（レリーズ）を繰り返し行なわせるように作動する。
【００１５】
上記構成において、ミラー駆動手段が、反射ミラーの一部に一端が係合した状態で揺動自在に配置された第１揺動レバーと、この第１揺動レバーの他端と係合しかつ回転駆動により反射ミラーを反射位置及び待避位置との間で移動させると共に連続撮影の際に反射ミラーを待避位置に保持するカム高さをもつ第１カム部材とを有し、シャッタ駆動手段が、シャッタを駆動する駆動レバーと、シャッタのチャージをセットするべく駆動レバーに係合し得るように回動自在に配置されたセットレバーと、このセットレバーの一部に一端が係合した状態で揺動自在に配置された第２揺動レバーと、この第２揺動レバーの他端と係合しかつ連続撮影の際に回転駆動によりシャッタのチャージをセットするセット位置とシャッタのチャージを解除可能な解除位置との間でセットレバーを繰り返し往復動させ得るカム高さをもつ第２カム部材とを有する、構成を採用することができる。
上記構成によれば、連続撮影の際に、第１揺動レバーが回転して反射ミラーを待避位置に位置付けると、第１カム部材のカム領域のうち反射ミラーを待避位置に保持するカム高さの領域（例えば、基礎円領域）が作用して、反射ミラーを待避位置に保持し続ける。と同時に、第２カム部材が回転駆動（例えば、所定の角度範囲を往復回転駆動）されることで、第２揺動レバー及びセットレバーを介してシャッタが駆動され、そのチャージ及びチャージの解除（レリーズ）動作が繰り返し行なわれる。
【００１６】
上記構成において、駆動レバーが、後羽根群を閉鎖位置に移動させるように付勢された後羽根駆動レバーと、先羽根群を閉鎖位置に移動させるように付勢された第１先羽根駆動レバーと、この第１先羽根駆動レバーに係合して先羽根群を開放位置に移動させるように付勢された第２先羽根駆動レバーとを有し、セットレバーが、シャッタのチャージをセットする際に、後羽根駆動レバー及び第２先羽根駆動レバーをセット位置に移動させ、かつ、先羽根群を開放位置に位置付けるべく第１先羽根駆動レバーの移動を規制するように、後羽根駆動レバー、第１先羽根駆動レバー及び第２先羽根駆動レバーのそれぞれに係合し得る係合部を有する、構成を採用することができる。
上記構成によれば、シャッタのチャージをセットする際には、後羽根駆動レバーが、付勢力に抗して移動することにより後羽根群を開放位置に位置付け、又、第２先羽根駆動レバーが、付勢力に抗して移動する。これにより、露光動作のためのシャッタのチャージ（エネルギ蓄積）が完了する。一方、第１先羽根駆動レバーは、セットレバーによりその移動が規制されて、先羽根群は開放位置にそのまま保持される。尚、この状態において、撮像素子へ被写体光が入射し、撮像された画像を画像表示部に表示することができ、画像表示部をファインダとして機能させることもできる。
一方、シャッタのチャージを解除する際には、先ず、第１先羽根駆動レバーが付勢力により移動して先羽根群を展開させて閉鎖位置に位置付け、その後、第２先羽根駆動レバーが付勢力により逆向きに移動することにより第１先羽根駆動レバーと共に先羽根群を開放位置に位置付け、続いて、後羽根駆動レバーが付勢力により逆向きに移動することにより後羽根群を閉鎖位置に位置付ける。これにより、撮像素子に対してのリセット（初期化）動作及び露光動作が行なわれ、又、連続撮影の際には、上記動作が繰り返し行なわれる。
【００１７】
さらに、上記両発明の構成において、第１カム部材及び第２カム部材が、２つの歯車にそれぞれ一体的に形成されており、この２つの歯車が一つの駆動モータにより連動して駆動される、構成を採用することができる。
上記構成によれば、一つの駆動源により、ミラー駆動手段及びシャッタ駆動手段が駆動されるため、構造を簡略化でき、又、部品点数の削減による低コスト化が行なえる。さらに、第１カム部材と第２カム部材とが連動しているため、反射ミラーとシャッタとを、所望のタイミングで、かつ、両者間にずれを生じることなく確実に駆動させることができる。
【００１８】
また、上記構成において、駆動モータが、連続撮影の際に所定の角度範囲において回転方向が交互に切り替えられる、構成を採用することができる。
上記構成によれば、シャッタのチャージとその解除（レリーズ）動作に要する時間を短く設定することができ、結果的に単位時間当たりの連続撮影コマ数を増加させることができる。
【００１９】
【発明の実施の形態】
以下、本発明の実施の形態について、添付図面を参照しつつ説明する。図１ないし図８は、本発明に係るカメラ装置の一実施形態を示すものであり、図１ないし図３はその内部構造を示す側面図、図４はその内部構造を示す正面図、図５はシャッタを駆動するシャッタ駆動手段の一部を示す正面図、図６ないし図８はシャッタの動作状態を示す正面図である。尚、図６ないし図８においては、説明の便宜上、その一部において、点線で示すべき隠れ線を実線にて又実線にて示すべきところを点線にて表している。
【００２０】
この実施形態に係るカメラ装置は、図１ないし図４に示すように、撮影レンズ（不図示）と対向する最奥部に配置された撮影媒体としての感光性の撮影フィルム１０と、この撮影フィルム１０に対する遮光及び露光動作を行なうための先羽根群２１及び後羽根群２２等からなるシャッタ２０と、撮影の際の被写体を確認するための光学ファインダ３０と、光学ファインダ３０へ被写体光Ｌを反射して導く反射位置と撮影フィルム１０へ被写体光Ｌを導く待避位置との間で可動に配置された反射ミラー４０と、この反射ミラー４０を駆動するミラー駆動手段と、シャッタ２０を駆動するシャッタ駆動手段と、種々の制御を司る制御部（ＣＰＵ）等を、その基本構成として備えている。
【００２１】
ところで、上記光学ファインダ３０は、図１に示すように、撮影者が直接覗き込む接眼レンズ３１、被写体光Ｌの光路において、この接眼レンズ３１の上流側に配置された凹レンズ３２、反射ミラー４０により反射された被写体光Ｌを反射してその方向を変えるプリズム３３等を備えている。
【００２２】
シャッタ２０を構成する先羽根群２１及び後羽根群２２は、図１ないし図３に示すように、被写体光Ｌの光路において撮影フィルム１０よりも上流側に配置されて、撮影フィルム１０に対する遮光及び露光動作を行なうようになっている。
すなわち、開口部１０１ａを画定するベースプレート１０１、同様に開口部を画定する中間プレート（不図示）、同様に開口部１０２ａを画定するカバープレート１０２が、被写体光Ｌの光路方向において順次に離隔して配置されている。
そして、ベースプレート１０１と中間プレートとの間には、先羽根群２１が配置されており、この先羽根群２１は、開口部１０１ａ，１０２ａの下方の位置にて重なり、上方へ向けて展開し開口部を覆うようになっている。
また、中間プレートとカバープレート１０２との間には、後羽根群２２が配置されており、この後羽根群２２は、開口部１０１ａ，１０２ａの上方の位置にて重なり、下方へ向けて展開し開口部を覆うようになっている。
【００２３】
反射ミラー４０は、図１ないし図４に示すように、ベースプレート１０１に取り付けられた枢軸部４１と、被写体光を反射するミラー部４２と、このミラー部４２を保持するフレーム４３と、このフレーム４３に一体的に設けられて水平方向に突出する係合ピン４４等により構成されている。
そして、図１に示すように、被写体光Ｌの進行方向に対して略４５°に傾斜した状態で、進入した被写体光Ｌを反射して光学ファインダ３０へ導く反射位置と、図２及び図３に示すように、被写体光Ｌの進行方向に略平行で撮影フィルム１０へ被写体光Ｌを導く待避位置との間を、枢軸部４１回りに揺動自在となっている。尚、上記反射ミラー４０は、枢軸部４１の周りに配置された捩りスプリング（不図示）あるいはフレーム４３と装置本体の一部との間に張設された引張スプリング（不図示）等の付勢スプリングにより、常時反射位置に向けてすなわち下向きに回動するように付勢されている。
【００２４】
ミラー駆動手段は、制御部から出力される制御信号に応じて起動される駆動モータ６０と、この駆動モータ６０により駆動される歯車列７０と、この歯車列７０の一つの歯車７４に一体的に形成されて反射ミラー４０の反射位置及び待避位置に対応すると共に連続撮影の際の待避位置に対応するカム高さをもつ第１カム部材としてのミラーアップカム８１と、このミラーアップカム８１に対して第１端部（他端）９１が係合し第２端部（一端）９２が反射ミラー４０の係合ピン４４に係合する第１揺動レバーとしてのミラーアップレバー９０等を備えている。
【００２５】
このミラー駆動手段は、図１及び図４に示すように、ベースプレート１０１の面に対して略直交する方向に面をもつ支持プレート１０３及び押えプレート１０４の領域に、配置されている。すなわち、図４に示すように、駆動モータ６０が押えプレート１０４に固定され、そのスピンドル６１が支持プレート１０３と押えプレート１０４との間の空間に突出し、このスピンドル６１に対して駆動歯車６２が固着されている。
【００２６】
この駆動歯車６２には、図１及び図４に示すように、支軸７１ａの回りに回動自在に配置された第１歯車７１が噛合され、この第１歯車７１には、支軸７２ａの回りに回動自在に配置された第２歯車７２が噛合されている。また、この第２歯車７２には、支軸７３ａの回りに回動自在に配置された第３歯車７３が噛合され、さらに、この第３歯車７３には、支軸７４ａの回りに回動自在に配置された第４歯車７４が噛合されている。これら第１歯車７１、第２歯車７２、第３歯車７３、及び第４歯車７４から成る歯車列７０は、支持プレート１０３と押えプレート１０４との間において、回動自在に支持されている。
【００２７】
上記第４歯車７４には、その側面において一体的にミラーアップカム（第１カム部材）８１が形成されている。このミラーアップカム８１は、支軸７４ａの近傍においてカム高さが最も低い基礎面部（基礎円部）８１ａと、この基礎面部８１ａに連続して徐々にカム高さが増加していく遷移面部８１ｂと、さらにこの遷移面部８１ｂに連続すると共に所定の範囲に亘って一定の最も高いカム高さをもつ最大リフト面部８１ｃとを備えた対称カムの形状に形成されている。すなわち、ミラーアップカム８１の最大リフト面部８１ｃが、反射ミラー４０の反射位置に対応し、ミラーアップカム８１の基礎面部８１ａが、反射ミラー４０の待避位置に対応するようになっている。
【００２８】
また、支持プレート１０３と押えプレート１０４との間には、ミラーアップレバー（第１揺動レバー）９０が、支持軸１００の回りに揺動自在に配置されており、又、支持軸１００の回りに配置された捩りスプリングあるいは支持軸１００から所定距離離れた位置にて係止された引張スプリング（不図示）等の付勢スプリングにより、図１ないし図３中の時計回りに回転するように付勢されている。
このミラーアップレバー９０は、その第１端部（他端）９１が、第４歯車７４に形成されたミラーアップカム８１に上方から係合させられ、又、その第２端部（一端）９２が、反射ミラー４０の係合ピン４４に下方から係合させられている。すなわち、図１に示すように、ミラーアップレバー９０の第１端部９１が、ミラーアップカム８１の最大リフト面部８１ｃに係合した状態にあるとき、反射ミラー４０は、光学ファインダ３０へ向けて被写体光を反射し得る反射位置に、位置している。尚、図１に示す状態では、後述するシャッタ駆動手段の作用により、シャッタ２０のチャージがセットされた状態にある。
【００２９】
この反射位置に位置する図１の状態から、駆動モータ６０が正転（図１中反時計回りに回転）させられ、第４歯車７４が反時計回りに略１１０°回転すると、図２に示すように、ミラーアップレバー９０の第１端部９１は、ミラーアップカム８１の遷移面部８１ｂを経由して基礎面部８１ａに係合し、ミラーアップレバー９０は時計回りに回転して、その第２端部９２が係合ピン４４を上方に向けて押し上げる。これにより、反射ミラー４０は上方に向けて揺動させられ、略水平となる待避位置に位置付けられる。反射ミラー４０が待避位置に位置することで、被写体光Ｌは、反射ミラー４０に遮られることなく、直接撮影フィルム１０に向かって直進することになる。尚、図２に示す状態では、後述するシャッタ駆動手段の作用により、シャッタ２０のチャージが保持されかつ先羽根群２１が閉鎖位置に位置した状態にある。
【００３０】
この待避位置に位置する図２の状態から、駆動モータ６０がさらに正転させられ、第４歯車７４がさらに反時計回りに略１００°回転すると、図３に示すように、ミラーアップレバー９０の第１端部９１は、ミラーアップカム８１の基礎面部８１ａ上に係合し続けて、ミラーアップレバー９０は回転することなく図２と同じ位置に保持される。したがって、図２に示す状態から図３に示す状態まで、反射ミラー４０は待避位置に保持され続ける。尚、図３に示す状態では、後述するシャッタ駆動手段の作用により、シャッタ２０のチャージが解除されかつ先羽根群２１が開放位置に又後羽根群２２が閉鎖位置にそれぞれ移動した状態にある。
【００３１】
続いて、この図３に示す状態から、駆動モータ６０が逆転（図３中時計回りに回転）させられ、第４歯車７４が時計回りに略１００°回転すると、図２に示すように、ミラーアップレバー９０の第１端部９１にはミラーアップカム８１の基礎面部８１ａが作用し続けているため、ミラーアップレバー９０は揺動することなく反射ミラー４０を待避位置に保持することになる。一方、後述するシャッタ駆動手段の作用により、シャッタ２０のチャージが再びセットされ、後羽根群２２が開放位置に又先羽根群２１が閉鎖位置にそれぞれ移動した状態となる。
【００３２】
すなわち、上記図２に示す状態から図３に示す状態へ、又、図３に示す状態から図２に示す状態へ、交互に駆動されることにより、反射レバー４０を待避位置に保持した状態で、シャッタ２０のチャージ及びチャージの解除（レリーズ）動作を繰り返して行なわせることができる。
【００３３】
上記駆動モータ６０、第１歯車７１、第２歯車７２、第３歯車７３、及び第４歯車７４からなる歯車列７０、第４歯車７４に一体的に形成されたミラーアップカム（第１カム部材）８１、ミラーアップレバー（第１揺動レバー）９０等により、連続撮影の際に、反射ミラー４０を待避位置に位置付けて保持するように駆動するミラー駆動手段が構成されている。
【００３４】
シャッタ駆動手段は、上記駆動モータ６０と、この駆動モータ６０により駆動される歯車列７０´（第１歯車７１、第２歯車７２、及び第３歯車７３）と、
先羽根群２１を駆動する先羽根駆動レバー１１０と、後羽根群２２を駆動する後羽根駆動レバー１２０と、先羽根群２１及び後羽根群２２からなるシャッタ２０のチャージをセットするべく上記先羽根駆動レバー１１０及び後羽根駆動レバー１２０に係合し得るように回動自在に配置されたセットレバー１３０と、セットレバー１３０の一部に第１端部（一端）１４１が係合した状態で揺動自在に配置された第２揺動レバーとしてのチャージレバー１４０と、このチャージレバー１４０の第２端部（他端）１４２と係合してシャッタ２０のチャージをセットするセット位置とシャッタ２０のチャージを解除可能な解除位置との間でセットレバー１３０を回動させるカム高さをもつ第２カム部材としてのチャージカム８２等を備えている。
【００３５】
このシャッタ駆動手段は、図１及び図４、並びに図５ないし図８に示すように、支持プレート１０３と押えプレート１０４との領域及びベースプレート１０１の前面側及び背面側に配置されている。
すなわち、支持プレート１０３及び押えプレート１０４の領域に配置された第３歯車７３には、その側面において一体的にチャージカム（第２カム部部）８２が形成されている。このチャージカム８２は、支軸７３ａの近傍においてカム高さが最も低い基礎面部８２ａと、この基礎面部８２ａに連続して徐々にカム高さが増加していく遷移面部８２ｂと、さらにこの遷移面部８１ｂに連続すると共に所定の範囲に亘って一定の最も高いカム高さをもつ最大リフト面部８２ｃとを備えた略ハート型の対称カムの形状に形成されている。
上記チャージカム８２の最大リフト面部８２ｃが、シャッタ２０（先羽根群２１及び後羽根群２２）のチャージを完了する位置に対応し、チャージカム８２の基礎面部８２ａが、シャッタ２０（先羽根群２１及び後羽根群２２）のチャージを解除し得る位置に対応するようになっている。
【００３６】
また、支持プレート１０３と押えプレート１０４との間には、チャージレバー（第２揺動レバー）１４０が、支持軸１００の回りに揺動自在に配置されている。そして、この支持軸１００の回りに配置された捩りスプリング（不図示）あるいは支持軸１００から所定距離だけ離れた位置において装置本体との間に張設された引張スプリング（不図示）等の付勢スプリングにより、チャージレバー１４０は、図１中時計回りに回転するように付勢されている。このチャージレバー１４０は、その第２端部１４２が、第３歯車７３に形成されたチャージカム（第２カム部材）８２に上方から係合させられ、又、その第１端部１４１が、セットレバー１３０の突起部（一部）１３１に上方から係合させられている。
【００３７】
すなわち、図１に示すように、チャージレバー１４０の第２端部１４２が、チャージカム８２の最大リフト面部８２ｃに係合した状態にあるとき、図５（ａ）に示すように、セットレバー１３０は時計回りに回転させられて、シャッタ２０のチャージをセットしたセット位置に位置付けられる。
【００３８】
この状態から、駆動モータ６０が例えば逆転（図１中において時計回りに回転）させられ、第３歯車７３（チャージカム８２）が略１５０°反時計回りに回転すると、図３に示すように、チャージレバー１４０の第２端部１４２はチャージカム８２の遷移面部８２ｂを経由して基礎面部８２ａに係合し、チャージレバー１４０は時計回りに回転して、その第１端部１４１は上方に移動し、セットレバー１３０はその突起部１３１が上昇する方向に逆回転して、シャッタ２０の遮光及び露光動作を許容する（シャッタのチャージを解除可能な）状態となる。
【００３９】
上記セットレバー１３０は、図４及び図５に示すように、ベースプレート１０１の前面において、支持軸１３０ａの回りに回動自在に配置されており、この支持軸１３０ａの領域に配置された捩りスプリング（不図示）により、図４及び図５中の反時計回りに回転するように付勢されている。そして、その突起部１３１が、チャージレバー１４０の第１端部１４１に対して、下側から常時係合するようになっている。このセットレバー１３０は、図５に示すように、前方へ向かう突起部１３１と、湾曲をなす第１係合部１３２と、同様に湾曲をなす第２係合部１３３等により形成されている。
【００４０】
また、このセットレバー１３０の上下斜め近傍の領域には、図５に示すように、先羽根駆動レバー１１０及び後羽根駆動レバー１２０が配置されている。
この先羽根駆動レバー１１０は、図５に示すように、ベースプレート１０１の前面でかつセットでバー１３０の斜め下方領域において、支持軸１１０ａの回りに回動自在に配置されており、この支持軸１１０ａの領域に配置された捩りスプリング（不図示）により、図５中の時計回りに回転するように付勢されている。また、この先羽根駆動レバー１１０は、セットレバー１３０の第１係合部１３２と係合し得る第１係合部１１１と、湾曲案内溝１０１ｂを通して後方に伸び先羽根群２１の一部に係合する第２係合部１１２と、磁力に引寄せられる鉄片部１１３等により形成されている。
【００４１】
後羽根駆動レバー１２０は、図５に示すように、ベースプレート１０１の前面でかつセットレバー１３０の斜め上方領域において、支持軸１２０ａの回りに回動自在に配置されており、この支持軸１２０ａの領域に配置された捩りスプリング（不図示）により、図５中の時計回りに回転するように付勢されている。また、この後羽根駆動レバー１２０は、セットレバー１３０の第２係合部１３３と係合し得る第１係合部１２１と、湾曲案内溝１０１ｃを通して後方に伸びて後羽根群２２の一部に係合する第２係合部１２２と、磁力に引寄せられる鉄片部１２３等により形成されている。
【００４２】
上記先羽根駆動レバー１１０、後羽根駆動レバー１２０、セットレバー１３０、チャージレバー１４０、チャージカム８２等により、連続撮影の際に、シャッタ２０のチャージ及びチャージの解除を繰り返して行なわせるようにシャッタ２０を駆動するシャッタ駆動手段が構成されている。
また、前述のミラー駆動手段及び上記シャッタ駆動手段により、撮影フィルム１０に対して被写体を連続して撮影する連続撮影の際に、反射ミラー４０を待避位置に保持した状態でシャッタ２０のチャージ及びチャージの解除動作を繰り返し行なわせるように、反射ミラー４０及びシャッタ２０を駆動する連続撮影駆動手段が構成されている。
【００４３】
シャッタ２０を構成する先羽根群２１は、図６に示すように、ベースプレート１０１の背面側に配置された４枚の先羽根２１ａ，２１ｂ，２１ｃ，２１ｄと、これらの先羽根を回動自在にリンクする２本のリンク部材２１ｅ，２１ｆ等により構成されている。そして、このリンク部材２１ｅの一端部２１ｅ´は、ベースプレート１０１に設けられた支持軸１１０ａの回りに回動自在に配置され、又、リンク部材２１ｆの一端部２１ｆ´は、ベースプレート１０１に設けられた枢軸２１ｇの回りに回動自在に配置されている。
また、上記リンク部材２１ｅには、先羽根駆動レバー１１０の第２係合部１１２が係合されている。したがって、先羽根群２１は、先羽根駆動レバー１１０の回動動作に連動して、開口部１０１ａを閉鎖する閉鎖位置と、開口部１０１ａを開放する開放位置との間を、往復動自在に移動させられるようになっている。
【００４４】
シャッタ２０を構成する後羽根群２２は、図８に示すように、ベースプレート１０１の背面側に配置された４枚の先羽根２２ａ，２２ｂ，２２ｃ，２２ｄと、これらの後羽根を回動自在にリンクする２本のリンク部材２２ｅ，２２ｆ等により構成されている。そして、このリンク部材２２ｅの一端部２２ｅ´は、ベースプレート１０１に設けられた支持軸１２０ａの回りに回動自在に配置され、又、リンク部材２２ｆの一端部２２ｆ´は、ベースプレート１０１に設けられた枢軸２２ｇの回りに回動自在に配置されている。
また、上記リンク部材２２ｅには、後羽根駆動レバー１２０の第２係合部１２２が係合されている。したがって、後羽根群２２は、後羽根駆動レバー１２０の回動動作に連動して、開口部１０１ａを閉鎖する閉鎖位置と、開口部１０１ａを開放する開放位置との間を、往復動自在に移動させられるようになっている。
【００４５】
一方、ベースプレート１０１の前方側に配置された上記セットレバー１３０、先羽根駆動レバー１１０、及び後羽根駆動レバー１２０の前方には、図４に示すように、ベースプレート１０１と平行に回路基板１０５が配置されている。そして、この回路基板１０５とベースプレート１０１とにより、支持軸１１０ａ，１２０ａ，１３０ａ等が保持されている。
【００４６】
また、この回路基板１０５の背面には、先羽根用電磁石１５０及び後羽根用電磁石１６０が取り付けられている。これら先羽根用電磁石１５０及び後羽根用電磁石１６０は、図５（ｂ）に示すように、それぞれ鉄芯１５０ａ，１６０ａと、これら鉄芯１５０ａ，１６０ａの回りに巻回された電磁コイル１５０ｂ，１６０ｂ等により構成されている。
そして、これら電磁コイル１５０ｂ，１６０ｂが通電されることで、電磁力が発生して、これら先羽根用電磁石１５０及び後羽根用電磁石１６０は、先羽根駆動レバー１１０の鉄片部１１３、後羽根駆動レバー１２０の鉄片部１２３をそれぞれ吸着するようになっている。
【００４７】
上記先羽根駆動レバー１１０、後羽根駆動レバー１２０、及びセットレバー１３０の相互関係については、先ず、セットレバー１３０が、チャージレバー１４０により押し下げられていない休止位置（解除位置）にあるとき、先羽根駆動レバー１１０及び後羽根駆動レバー１２０は、共に捩りスプリングの付勢力により時計回りに回転させられて、図５（ｃ）に示すような休止位置（復帰位置）にある。この状態において、シャッタ２０（先羽根群２１及び後羽根群２２）は、図８に示すように、先羽根群２１が重なり合った解放位置に位置し、後羽根群２２が展開した閉鎖位置に位置している。すなわち、図８に示す状態は、シャッタ２０のチャージ（エネルギ蓄積）をセットする前の状態（あるいは露光作動後の状態）に対応している。
【００４８】
続いて、セットレバー１３０が、チャージレバー１４０により押し下げられて、図５（ａ）に示すように、時計回りに略９０°回転してセット位置に至るとき、その第１係合部１３２が先羽根駆動レバー１１０の第１係合部１１１に係合し、又、その第２係合部１３３が後羽根駆動レバー１２０の第１係合部１２１に係合する。そして、先羽根駆動レバー１１０は、捩りスプリングの付勢力に抗しつつ反時計回りに回転させられる。と同時に、後羽根駆動レバー１２０も、捩りスプリングの付勢力に抗しつつ反時計回りに回転させられる。
この状態において、シャッタ２０（先羽根群２１及び後羽根群２２）は、図６に示すように、先羽根群２１が展開した閉鎖位置に位置し、後羽根群２２が重なり合った開放位置に位置している。すなわち、図６に示す状態は、シャッタ２０のチャージをセットした後の状態に対応している。
【００４９】
続いて、レリーズ動作により、チャージレバー１４０によるセットレバー１３０の押し下げが解除されて、セットレバー１３０は、図５（ｂ）に示すように、捩りスプリングの付勢力により反時計回りに回転して復帰位置に戻り始める。この際に、先ず、先羽根用電磁石１５０及び後羽根用電磁石１６０がそれぞれ通電されて、先羽根用電磁石１５０が先羽根駆動レバー１１０の鉄片部１１３を吸着し、又、後羽根用電磁石１６０が後羽根駆動レバー１２０の鉄片部１２３を吸着する。これにより、セットレバー１３０の第１係合部１３２及び第２係合部１３３が、先羽根駆動レバー１１０の第１係合部１１１及び後羽根駆動レバー１２０の第１係合部１２１から離脱しても、先羽根駆動レバー１１０及び後羽根駆動レバー１２０は、反時計回りに回転したその状態に保持される。
この状態において、シャッタ２０（先羽根群２１及び後羽根群２２）は、図７に示すように、先羽根群２１が展開した閉鎖位置に位置し、後羽根群２２が重なり合った開放位置に位置している。すなわち、図７に示す状態は、シャッタ２０のレリーズ直後の状態（セットレバー１３０が戻り、シャッタ２０のチャージを解除可能な状態）に対応している。
【００５０】
図７に示す状態において、先羽根用電磁石１５０及び後羽根用電磁石１６０への通電が順次に断たれると、先ず、先羽根駆動レバー１１０が捩りスプリングの付勢力により時計回りに回転する。これにより、先羽根群２１は、展開して開口部１０１ａを覆った閉鎖位置から開口部１０１ａの下側にて重なった開放位置に移動させられる。
続いて、所定の時間（露出時間ｔ）をおいて、後羽根駆動レバー１２０が、捩りスプリングの付勢力により時計回りに回転する。これにより、後羽根群２２は、開口部１０１ａの上側にて重なった開放位置から展開して、開口部１０１ａを覆う閉鎖位置に移動させられる。上記先羽根群２１及び後羽根群２２の動作により、撮影フィルム１０に対する露光動作が行なわれることになる。
【００５１】
次に、この実施形態に係るカメラ装置の撮影モードに応じた動作について、図９を参照しつつ説明する。先ず、カメラ装置の撮影モードが、通常モード（一枚撮り）に設定されている場合、図９に示すように、駆動モータ６０が正転させられると、図１に示すように、ミラーアップレバー９０はミラーアップカム８１（最大リフト面部８１ｃ）の作用により反時計回りに回転し、反射ミラー４０は反射位置に位置付けられる。また、チャージレバー１４０は、チャージカム８２（最大リフト面部８２ｃ）の作用により反時計回りに回転し、セットレバー１３０を作動させてシャッタのチャージ動作が行なわれ（図５（ａ）参照）、後羽根群２２が開放位置に移動して開口部１０１ａを開放する一方、先羽根群２１が展開して閉鎖位置に移動し開口部１０１ａを覆う（図６参照）。この状態において、撮影者は光学ファインダ３０を覗き込んで被写体のフレーミング等を行なうことができる。
【００５２】
その後、レリーズされると、先羽根用電磁石１５０及び後羽根用電磁石１６０が通電されると共に、駆動モータ６０が逆転させられる。そして、チャージカム８２が略１５０°反時計回りに回転して、図３に示すように、チャージカム８２の基礎面部８２ａ領域にチャージレバー１４０の第２端部１４２が入り込む。これにより、セットレバー１３０が休止位置（解除位置）に戻されて、シャッタ２０のチャージを解除可能な状態となる（図５（ｂ）、図７参照）。一方、ミラーアップカム８１が略１５０°時計回りに回転して、図３に示すように、ミラーアップカム８１の基礎面部８１ａにミラーアップレバー９０の第１端部９１が係合することで、ミラーアップレバー９０は時計回りに回転し、反射ミラー４０を待避位置に位置付ける。
【００５３】
このように、駆動モータ６０を逆転させることで、図１に示すように、チャージカム８２の右側の遷移面部８２ｂを経由した短い行程で、チャージレバー１４０の第２端部１４２が基礎面部８２ａ領域に入り込むことができる。したがって、駆動モータ６０をそのまま正回転させる場合に比べて、レリーズに要する時間を短縮することができる。
【００５４】
その後、先羽根用電磁石１５０及び後羽根用電磁石１６０への通電が順次に断たれて、先ず、展開して閉鎖位置にある先羽根群２１が開口部１０１ａの下方（開放位置）に移動し、露出時間ｔをおいて、後羽根群２２が開口部１０１ａを覆うように展開して閉鎖位置に移動する（図５（ｃ）、図８参照）。これら先羽根群２１及び後羽根群２２の露光動作により、撮影フィルム１０には被写体が撮影されることになる。その後、再び駆動モータ６０が正転させられて、図１に示す状態となり、シャッタ２０のチャージが行なわれると共に光学ファインダ３０を覗いてのフレーミング等が可能な状態となる。
【００５５】
次に、この状態で、カメラ装置の撮影モードが連続撮影モード（連写）に設定（連写ＳＷ−ＯＮ）された場合において、レリーズされると、先羽根用電磁石１５０及び後羽根用電磁石１６０が通電されると共に、反射ミラー４０が反射位置に位置している場合は、図１に示す状態からさらに駆動モータ６０が正転させられる。そして、図２に示すように、チャージカム８２が略１１０°時計回りにかつミラーアップカム８１が略１１０°反時計回りにそれぞれ回転することにより、チャージレバー１４０及びセットレバー１３０によるシャッタ２０のチャージ状態が保持されたまま、ミラーアップレバー９０が時計回りに回転して反射ミラー４０を待避位置に位置付ける。
【００５６】
続いて、図２に示す状態からさらに駆動モータ６０が正転させられる。そして、チャージカム８２が略１００°時計回りに回転しかつミラーアップカム８１が略１００°反時計回りに回転する。この際に、ミラーアップレバー９０は反射ミラー４０を待避位置に保持した状態で、セットレバー１３０は休止位置（解除位置）に戻り、シャッタ２０のチャージが解除可能な状態となる。尚、セットレバー１３０が休止位置に戻っても、先羽根用電磁石１５０及び後羽根用電磁石１６０への通電により、シャッタ２０のチャージ状態は保持されている。
この後、先羽根用電磁石１５０及び後羽根用電磁石１６０への通電が順次に断たれて、先ず、展開して閉鎖位置にある先羽根群２１が開口部１０１ａの下方（開放位置）に移動し、露出時間ｔをおいて、後羽根群２２が開口部１０１ａを覆うように展開して閉鎖位置に移動する。これら先羽根群２１及び後羽根群２２の露光動作により、撮影フィルム１０には被写体が撮影され、１コマの撮影が終了する。
【００５７】
次に、図３に示す状態から駆動モータ６０が逆転させられ、チャージカム８２が略１００°反時計回りに回転しかつミラーアップカム８１が略１００°時計回りに回転して、図２に示す状態となる。この際に、ミラーアップレバー９０の第１端部９１はミラーアップカム８１の基礎面部８１ａに係合し続けているため、反射ミラー４０は待避位置に保持されたままの状態で、チャージレバー１４０及びセットレバー１３０によるシャッタ２０のチャージのみが行なわれる。
【００５８】
この後、先羽根用電磁石１５０及び後羽根用電磁石１６０が通電されると共に、図２に示す状態から駆動モータ６０が正転させられる。そして、図３に示すように、チャージカム８２が略１００°時計回りに回転しかつミラーアップカム８２が略１００°反時計回りに回転する。これにより、反射ミラー４０は待避位置に保持されたままの状態で、セットレバー１３０が休止位置（解除位置）に戻り、シャッタ２０のチャージを解除可能な状態となる。
この後、先羽根用電磁石１５０及び後羽根用電磁石１６０への通電が順次に断たれて、先ず、展開して閉鎖位置にある先羽根群２１が開口部１０１ａの下方（開放位置）に移動し、露出時間ｔをおいて、後羽根群２２が開口部１０１ａを覆うように展開して閉鎖位置に移動する。これら先羽根群２１及び後羽根群２２の露光動作により、撮影フィルム１０には被写体が撮影され、２コマ目の撮影が終了する。
【００５９】
再び、図３に示す状態から駆動モータ６０が逆転させられ、チャージカム８２が略１００°反時計回りに回転しかつミラーアップカム８１が略１００°時計回りに回転して、図２に示す状態となる。この際に、再び反射ミラー４０が待避位置に保持されたままの状態で、チャージレバー１４０及びセットレバー１３０によるシャッタ２０のチャージのみが行なわれる。
【００６０】
この後、先羽根用電磁石１５０及び後羽根用電磁石１６０が通電されると共に、図２に示す状態から駆動モータ６０が正転させられる。そして、図３に示すように、チャージカム８２が略１００°時計回りに回転しかつミラーアップカム８２が略１００°反時計回りに回転する。これにより、反射ミラー４０は待避位置に保持されたままの状態で、セットレバー１３０が休止位置（解除位置）に戻り、シャッタ２０のチャージを解除可能な状態となる。
この後、先羽根用電磁石１５０及び後羽根用電磁石１６０への通電が順次に断たれて、先ず、展開して閉鎖位置にある先羽根群２１が開口部１０１ａの下方（開放位置）に移動し、露出時間ｔをおいて、後羽根群２２が開口部１０１ａを覆うように展開して閉鎖位置に移動する。これら先羽根群２１及び後羽根群２２の露光動作により、撮影フィルム１０には被写体が撮影され、３コマ目の撮影が終了する。
以上のように、連続撮影モードにおいて、レリーズのスイッチがＯＮとされている間中、上記のようなシーケンス、すなわち、反射ミラー４０を待避位置に保持した状態でシャッタ２０のチャージ及びチャージの解除動作が繰り返されることになる。その後、レリーズのスイッチがＯＦＦとされると、直ちに図１に示すように反射ミラー４０が反射位置に位置付けられて、光学ファインダ３０による被写体の確認が可能となる。
【００６１】
この実施形態によれば、反射ミラー４０を待避位置に保持したままの状態で連続撮影が行なわれるため、連続撮影の高速化すなわち単位時間当たりの撮影コマ数を増加させることができる。また、連続撮影の際に、駆動モータ６０の回転方向を交互に切り替えるようにしているため、シャッタ２０のチャージ及びその解除という一連のシーケンスに要する時間を短縮することができる。
尚、この実施形態においては、撮影媒体として、感光性の撮影フィルム１０を採用した場合を示したが、電荷結合型の撮像素子（ＣＣＤ）を採用することも勿論可能である。
【００６２】
図１０ないし図１８は、本発明に係るカメラ装置の他の実施形態を示すものであり、前述の実施形態に対して、撮影媒体として撮像素子を採用し、撮像素子により撮像された画像を表示する画像表示部を設け、この画像表示部と光学ファインダとをファインダ機能として適宜選択できるようにし、さらに、シャッタの駆動機構を変更したものである。したがって、前述の実施形態と異なる部分についてのみ、以下に説明する。ここで、図１０ないし図１２はその内部構造を示す側面図、図１３及び図１４はシャッタを駆動するシャッタ駆動手段の一部を示す正面図、図１５ないし図１８はシャッタの動作状態を示す正面図である。尚、図１５ないし図１８においては、説明の便宜上、その一部において、点線で示すべき隠れ線を実線にて又実線にて示すべきところを点線にて表している。
【００６３】
この実施形態に係るカメラ装置は、図１０ないし図１２に示すように、撮影レンズ（不図示）と対向する最奥部に配置された撮像素子（ＣＣＤ）２００と、この撮像素子２００に対する遮光及び露光動作を行なうための先羽根群２１及び後羽根群２２等からなるシャッタ２０と、撮影の際の被写体を確認するための光学ファインダ３０と、光学ファインダ３０へ被写体光Ｌを反射して導く反射位置と撮像素子１０へ被写体光Ｌを導く待避位置との間で可動に配置された反射ミラー４０と、撮像素子２００を介して得られた画像を表示する画像表示部（ＬＣＤ）２１０（図２参照）等を、その基本構成として備えている。
【００６４】
また、このカメラ装置は、前述実施形態と同様の反射ミラー４０を駆動するミラー駆動手段、シャッタ２０を駆動するシャッタ駆動手段、撮影する際の被写体を確認するファインダとして機能させるべく、光学ファインダ３０及び画像表示部２１０の一方を選択するファインダ選択手段、さらに、種々の信号処理を行なう信号処理部及び種々の制御を司る制御部（ＣＰＵ）等を備えている。
尚、ここでは、撮影に先立って（撮影の際に）フレーミング等のために被写体を確認するために適用する機能をファインダとしての機能（ファインダ機能）と称し、撮影後において撮影画像を確認するために適用する機能をモニタとしての機能（モニタ機能）と称する。
【００６５】
シャッタ駆動手段は、前述の駆動モータ６０と、この駆動モータ６０により駆動される歯車列７０´（第１歯車７１、第２歯車７２、及び第３歯車７３）と、先羽根群２１を駆動する第１先羽根駆動レバー２３０及び第２先羽根駆動レバー２４０、後羽根群２２を駆動する後羽根駆動レバー２５０、先羽根群２１及び後羽根群２２からなるシャッタ２０のチャージをセットするべく上記第２先羽根駆動レバー２４０及び後羽根駆動レバー２５０に係合し得るように回動自在に配置されたセットレバー２６０、セットレバー２６０の一部に第１端部（一端）１４１が係合した状態で揺動自在に配置された第２揺動レバーとしてのチャージレバー１４０、このチャージレバー１４０の第２端部（他端）１４２と係合してシャッタ２０のチャージをセットするセット位置とシャッタ２０のチャージを解除可能な解除位置との間でセットレバー２６０を回動させるカム高さをもつ第２カム部材としてのチャージカム８２等を備えている。
【００６６】
上記セットレバー２６０は、ベースプレート１０１の前面において、支持軸１２６０ａの回りに回動自在に配置されており、この支持軸２６０ａの領域に配置された捩りスプリング（不図示）により、図１３及び図１４中の反時計回りに回転するように付勢されて、その突起部２６１がチャージレバー１４０の第１端部１４１に対して、下側から常時係合するようになっている。
このセットレバー２６０は、図１３（ａ）に示すように、前方へ向かう突起部２６１が一体的に形成されると共に湾曲をなす第１係合部２６２ａ及び第２係合部２６２ｂを同一平面にもつ前面部２６２と、この前面部２６２の背後に一体的に形成されると共に円弧状部２６３ａ及び逃げ部２６３ｂを同一平面にもつ規制部２６３等により形成されている。
【００６７】
また、このセットレバー２６０の上下斜め近傍の領域には、図１３及び図１４に示すように、第１先羽根駆動レバー２３０、第２先羽根駆動レバー２４０、後羽根駆動レバー２５０等が配置されている。
この第２先羽根駆動レバー２４０は、図１３及び図１４に示すように、ベースプレート１０１の前面でかつセットでバー２６０の斜め下方領域において、支持軸２４０ａの回りに回動自在に配置されており、この支持軸２４０ａの領域に配置された捩りスプリング（不図示）により、図１３中の時計回りに回転するように付勢されている。また、この第２先羽根駆動レバー２４０は、セットレバー２６０の第１係合部２６２ａと係合し得る第１係合部２４１と、第１先羽根駆動レバー２３０の一部（第２係合部２３２）と係合し得る第２係合部２４２と、磁力に引寄せられる鉄片部２４３等により形成されている。
【００６８】
後羽根駆動レバー２５０は、図１３及び図１４に示すように、ベースプレート１０１の前面でかつセットレバー２６０の斜め上方領域において、支持軸２５０ａの回りに回動自在に配置されており、この支持軸２５０ａの領域に配置された捩りスプリング（不図示）により、図１３中の時計回りに回転するように付勢されている。また、この後羽根駆動レバー２５０は、セットレバー２６０の第２係合部２６２ｂと係合し得る第１係合部２５１と、湾曲案内溝１０１ｃを通して後方に伸びて後羽根群２２の一部に係合する第２係合部２５２と、磁力に引寄せられる鉄片部２５３等により形成されている。
【００６９】
第１先羽根駆動レバー２３０は、図１３及び図１４に示すように、ベースプレート１０１の前面でかつ第２先羽根駆動レバー２４０の背後において、同様に支持軸２４０ａの回りに回動自在に配置されており、この支持軸２４０ａの領域に配置された捩りスプリング（不図示）により、図１３中の反時計回りに回転するように付勢されている。また、この第１先羽根駆動レバー２３０は、セットレバー２６０の規制部２６３（円弧状部２６３ａ）と係合し得る第１係合部２３１と、第２先羽根駆動レバー２４０の第２係合部２４２と係合し得る第２係合部２３２と、湾曲案内溝１０１ｂを通して後方に伸び先羽根群２１の一部に係合する第３係合部２３３等により形成されている。
【００７０】
上記第１先羽根駆動レバー２３０、第２先羽根駆動レバー２４０、後羽根駆動レバー２５０、セットレバー２６０、チャージレバー１４０、チャージカム８２等により、連続撮影の際にシャッタ２０のチャージ及びチャージの解除を繰り返し行なわせるように、又、ファインダとして画像表示部２１０が選択されたとき、シャッタ２０の先羽根群２１及び後羽根群２２を開放位置に位置付けるように、シャッタ２０を駆動するシャッタ駆動手段が構成されている。
また、前述のミラー駆動手段及び上記シャッタ駆動手段により、連続撮影の際に反射ミラー４０を待避位置に保持した状態でシャッタ２０のチャージ及びチャージの解除動作を繰り返し行なわせるように駆動する連続撮影駆動手段が構成されている。また、前述のミラー駆動手段、シャッタ駆動手段、撮影者が操作できる外部のファインダ選択ボタン（不図示）等により、光学ファインダ３０及び画像表示部２１０の一方を、撮影する際の被写体を確認するファインダとして機能させるべく選択することができるファインダ選択手段が構成されている。
【００７１】
ベースプレート１０１の後方側には、前述実施形態と同様の構成をなす先羽根群２１及び後羽根群２２からなるシャッタ２０が配置されており、一方、ベースプレート１０１の前方側には、上記セットレバー２６０、第１先羽根駆動レバー２３０、第２先羽根駆動レバー２４０、及び後羽根駆動レバー２５０を挟んで、図４に示すような回路基板１０５が配置されている。そして、この回路基板１０５とベースプレート１０１とにより、支持軸２４０ａ，２５０ａ，２６０ａ等が保持されている。
【００７２】
また、この回路基板１０５の背面には、前述実施形態と同様の先羽根用電磁石１５０及び後羽根用電磁石１６０が取り付けられている。これら先羽根用電磁石１５０及び後羽根用電磁石１６０は、図１４（ａ）に示すように、それぞれ鉄芯１５０ａ，１６０ａと、これら鉄芯１５０ａ，１６０ａの回りに巻回された電磁コイル１５０ｂ，１６０ｂ等により構成されている。
そして、これら電磁コイル１５０ｂ，１６０ｂが通電されることで、電磁力が発生して、これら先羽根用電磁石１５０及び後羽根用電磁石１６０は、第２先羽根駆動レバー２４０の鉄片部２４３、後羽根駆動レバー２５０の鉄片部２５３をそれぞれ吸着するようになっている。
【００７３】
上記セットレバー２６０、第１先羽根駆動レバー２３０、第２先羽根駆動レバー２４０、及び後羽根駆動レバー２５０の相互関係については、図１３（ａ）に示すように、先ず、セットレバー２６０が、チャージレバー１４０により押し下げられていない休止位置（解除位置）にあるとき、第２先羽根駆動レバー２４０は捩りスプリングの付勢力により時計回りに回転させられて、図１３（ａ）に示す休止位置（復帰位置）にある。
このとき、第１先羽根駆動レバー２３０は、その第２係合部２３２が第２先羽根駆動レバー２４０の第２係合部２４２により押されることになる。したがって、捩りスプリングにより反時計回りに回転するように付勢される付勢力に抗して、この第１先羽根駆動レバー２３０は、第２先羽根駆動レバー２４０と共に時計回りに回転した休止位置に位置することになる。
すなわち、第２先羽根駆動レバー２４０を時計回りに付勢する捩りスプリングの付勢力が、第１先羽根駆動レバー２３０を反時計回りに付勢する捩りスプリングの付勢力よりも大きく設定されている。
【００７４】
また、後羽根駆動レバー２５０は、捩りスプリングの付勢力により時計回りに回転させられて、図１３（ａ）に示す休止位置（復帰位置）にある。
この状態において、シャッタ２０（先羽根群２１及び後羽根群２２）は、図１５に示すように、先羽根群２１が重なり合った開放位置に位置し、後羽根群２２が展開した閉鎖位置に位置している。すなわち、シャッタ２０のチャージ（エネルギ蓄積）をセットする前の状態（又は露光作動後の状態）に対応している。
【００７５】
続いて、セットレバー２６０が、チャージレバー１４０により押し下げられて、図１３（ｂ）に示すように、時計回りに略９０°回転してセット位置に至るとき、その第１係合部２６２ａが第２先羽根駆動レバー２４０の第１係合部２４１に係合し、又、その第２係合部２６２ｂが後羽根駆動レバー２５０の第１係合部２５１に係合する。
そして、第２先羽根駆動レバー２４０は、捩りスプリングの付勢力に抗しつつ反時計回りに回転させられる。このとき、第１先羽根駆動レバー２３０は、その第２係合部２３２が第２先羽根駆動レバー２４０の第２係合部２４２から離脱し、捩りスプリングの付勢力により若干反時計回りに回転する。と同時に、第１先羽根駆動レバー２３０は、その第１係合部２３１がセットレバー２６０の規制部２６３（円弧状部２６３ａ）に係合して、反時計回りのそれ以上の回転が規制されることになる。また、後羽根駆動レバー２５０も、捩りスプリングの付勢力に抗しつつ反時計回りに回転させられる。
この状態において、シャッタ２０（先羽根群２１及び後羽根群２２）は、図１６に示すように、先羽根群２１がそのまま重なり合った開放位置に位置し、後羽根群２２も重なり合った開放位置に位置している。すなわち、シャッタ２０のチャージをセットした後の状態に対応している。尚、この状態において、図１１に示すように、撮像素子２００に対して被写体光Ｌが導かれるため、画像表示部２１０をファインダとして使用することができる。
【００７６】
続いて、レリーズ動作により、チャージレバー１４０によるセットレバー２６０の押し下げが解除されて、セットレバー２６０が、図１４（ａ）に示すように、捩りスプリングの付勢力により、反時計回りに回転して復帰位置に戻り始める。この際に、先ず、先羽根用電磁石１５０及び後羽根用電磁石１６０がそれぞれ通電されて、先羽根用電磁石１５０が第２先羽根駆動レバー２４０の鉄片部２４３を吸着し、又、後羽根用電磁石１６０が後羽根駆動レバー２５０の鉄片部２５３を吸着する。
これにより、セットレバー２６０の第１係合部２６２ａ及び第２係合部２６２ｂが、第２先羽根駆動レバー２４０の第１係合部２４１及び後羽根駆動レバー２５０の第１係合部２５１から離脱しても、第２先羽根駆動レバー２４０及び後羽根駆動レバー２５０は、反時計回りに回転したその状態に保持される。
この状態において、シャッタ２０（先羽根群２１及び後羽根群２２）は、図１７に示すように、先羽根群２１がそのまま重なり合った開放位置に位置し、後羽根群２２もそのまま重なり合った開放位置に位置している。すなわち、シャッタ２０のレリーズ直後の状態（セットレバー２６０が戻り動作を行なっている途中の状態）に対応している。
【００７７】
さらに続いて、セットレバー２６０が、捩りスプリングの付勢力により、図１４（ｂ）に示すように、反時計回りに回転して休止位置（解除位置）に至ると、第１先羽根駆動レバー２３０の第１係合部２３１が、セットレバー２６０の規制部２６３から離脱する。これにより、第１先羽根駆動レバー２３０は、捩りスプリングの付勢力により反時計回りに回転し、その第２係合部２３２が第２先羽根駆動レバー２４０の第２係合部２４２に当接（係合）したところで、その回転が止まることになる。
この状態において、シャッタ２０（先羽根群２１及び後羽根群２２）は、図１８に示すように、先羽根群２１が開口部１０１ａを閉鎖するように展開した閉鎖位置に位置し、後羽根群２２はそのまま重なり合った開放位置に位置している。すなわち、シャッタ２０のレリーズ後、露光動作を行なう直前に撮像素子２００をリセット（初期化）した状態に対応している。
【００７８】
図１８に示す状態において、先羽根用電磁石１５０及び後羽根用電磁石１６０への通電が順次に断たれると、先ず、第２先羽根駆動レバー２４０が捩りスプリングの付勢力により時計回りに回転すると共に、第２先羽根駆動レバー２４０の第２係合部２４２が第１先羽根駆動レバー２３０の第２係合部２３２を押すことにより、第１先羽根駆動レバー２３０も、捩りスプリングの付勢力に抗して時計回りに回転する。これにより、先羽根群２１は、展開して開口部１０１ａを覆った閉鎖位置から開口部１０１ａの下側にて重なった開放位置に移動させられる。
続いて、所定の時間（露出時間ｔ）をおいて、後羽根駆動レバー２５０が、捩りスプリングの付勢力により時計回りに回転する。これにより、後羽根群２２は、開口部１０１ａの上側にて重なった開放位置から展開して、開口部１０１ａを覆う閉鎖位置に移動させられる。上記先羽根群２１及び後羽根群２２の動作により、撮像素子２００に対する露光動作が、高速かつ安定した状態で行なわれる。
【００７９】
尚、ファインダ選択手段により、ファインダ機能をなすものとして光学ファインダ３０が選択されている場合には、図１０に示すように、ミラーアップレバー９０はミラーアップカム８１（最大リフト面部８１ｃ）の作用により反時計回りに回転して、反射ミラー４０を反射位置に位置付け、一方、チャージレバー１４０は、チャージカム８２（最大リフト面部８２ｃ）の作用により反時計回りに回転し、セットレバー２６０を作動させてシャッタ２０のチャージ動作が行なわれ、後羽根群２２が開放位置に移動して、開口部１０１ａが開放される。
したがって、この状態において、光学ファインダ３０には反射ミラー４０を介して被写体光が導かれるため、撮影者はこの光学ファインダ３０を覗くことで、フレーミング等を行なうことができる。
【００８０】
一方、ファインダ機能をなすものとして画像表示部２１０が選択されている場合には、図１１に示すように、セットレバー２６０によるシャッタ２０のチャージ動作が行なわれると共に、ミラーアップレバー９０による反射ミラー４０の待避位置への位置付けが行なわれる。これにより、被写体光は、反射ミラー４０により遮られることなく、開放された開口部１０１ａを通して撮像素子２００に進入する。したがって、この状態において、画像表示部２１０には、撮像素子２００を介して写し出された被写体の画像が表示されることになる。この状態において、撮影者は、この画像表示部２１０をファインダとして、表示された画像を見ることによりフレーミング等を行なうことができる。
【００８１】
次に、この実施形態に係るカメラ装置の撮影モードに応じた動作について説明する。先ず、カメラ装置の撮影モードが通常モード（一枚撮り）に設定されている場合、図１９に示すように、駆動モータ６０が正転させられると、図１０に示すように、ミラーアップレバー９０はミラーアップカム８１（最大リフト面部８１ｃ）の作用により反時計回りに回転し、反射ミラー４０は反射位置に位置付けられる。また、チャージレバー１４０は、チャージカム８２（最大リフト面部８２ｃ）の作用により反時計回りに回転し、セットレバー２６０を作動させてシャッタのチャージ動作が行なわれ（図１３（ｂ）参照）、後羽根群２２が開放位置に移動して開口部１０１ａを開放し、又、先羽根群２１も開放位置に保持される。（図１６参照）。この状態において、撮影者は光学ファインダ３０を覗き込んで被写体のフレーミング等を行なうことができる。
【００８２】
その後、レリーズされると、先羽根用電磁石１５０及び後羽根用電磁石１６０が通電されると共に、駆動モータ６０が逆転させられる。そして、チャージカム８２が略１５０°反時計回りに回転して、図１２に示すように、チャージカム８２の基礎面部８２ａ領域にチャージレバー１４０の第２端部１４２が入り込む。これにより、セットレバー２６０が休止位置（解除位置）に戻されて、シャッタ２０のチャージを解除可能な状態となる。一方、ミラーアップカム８１が略１５０°時計回りに回転して、図１２に示すように、ミラーアップカム８１の基礎面部８１ａ領域にミラーアップレバー９０の第１端部９１が係合することで、ミラーアップレバー９０は時計回りに回転し、反射ミラー４０を待避位置に位置付ける。また、セットレバー２６０が休止位置（解除位置）に戻ることで、第１先羽根駆動レバー２３０は捩りスプリングの付勢力により反時計回りに回転して、先羽根群２１は展開した閉鎖位置に位置付けられる（図１８参照）。この時、撮像素子２００のリセット（初期化）が行なわれる。
【００８３】
このように、駆動モータ６０を逆転させることで、図１０に示すように、チャージカム８２の右側の遷移面部８２ｂを経由した短い行程で、チャージレバー１４０の第２端部１４２が基礎面部８２ａに入り込むことができる。したがって、駆動モータ６０をそのまま正回転させる場合に比べて、レリーズに要する時間を短縮することができる。
【００８４】
その後、先羽根用電磁石１５０及び後羽根用電磁石１６０への通電が順次に断たれて、先ず、展開して閉鎖位置にある先羽根群２１が開口部１０１ａの下方（開放位置）に移動し、露出時間ｔをおいて、後羽根群２２が開口部１０１ａを覆うように展開して閉鎖位置に移動する（図１５参照）。これら先羽根群２１及び後羽根群２２の露光動作により、撮像素子２００には被写体が撮影されることになる。その後、再び駆動モータ６０が正転させられて、図１０に示す状態となり、シャッタ２０のチャージが行なわれると共に光学ファインダ３０を覗いてのフレーミング等が可能な状態となる。
【００８５】
次に、この状態で、カメラ装置の撮影モードが連続撮影モード（連写）に設定（連写ＳＷ−ＯＮ）された場合において、レリーズされると、先羽根用電磁石１５０及び後羽根用電磁石１６０が通電されると共に、反射ミラー４０が反射位置に位置している場合は、図１０に示す状態からさらに駆動モータ６０が正転させられる。そして、図１１に示すように、チャージカム８２が略１１０°時計回りにかつミラーアップカム８１が略１１０°反時計回りにそれぞれ回転することにより、チャージレバー１４０及びセットレバー２６０によるシャッタ２０のチャージ状態が保持されたまま、ミラーアップレバー９０が時計回りに回転して反射ミラー４０を待避位置に位置付ける。
【００８６】
続いて、図１１に示す状態からさらに駆動モータ６０が正転させられる。そして、チャージカム８２が略１００°時計回りに回転しかつミラーアップカム８１が略１００°反時計回りに回転する。この際に、ミラーアップレバー９０は反射ミラー４０を待避位置に保持した状態で、セットレバー２６０は休止位置（解除位置）に戻り、シャッタ２０のチャージが解除可能な状態となる。尚、セットレバー２６０が休止位置に戻っても、先羽根用電磁石１５０及び後羽根用電磁石１６０への通電により、シャッタ２０のチャージ状態は保持されている。また、セットレバー２６０が解除位置に戻されることで、第１先羽根駆動レバー２３０が、反時計回りに回転して先羽根群２１を展開させて開口部１０１ａを覆い、撮像素子２００のリセット（初期化）を行なう。
この後、先羽根用電磁石１５０及び後羽根用電磁石１６０への通電が順次に断たれて、先ず、展開して閉鎖位置にある先羽根群２１が開口部１０１ａの下方（開放位置）に移動し、露出時間ｔをおいて、後羽根群２２が開口部１０１ａを覆うように展開して閉鎖位置に移動する。これら先羽根群２１及び後羽根群２２の露光動作により、撮像素子２００には被写体が撮影され、１コマの撮影が終了する。
【００８７】
次に、図１２に示す状態から駆動モータ６０が逆転させられ、チャージカム８２が略１００°反時計回りに回転しかつミラーアップカム８１が略１００°時計回りに回転して、図１１に示す状態となる。この際に、ミラーアップレバー９０の第１端部９１はミラーアップカム８１の基礎面部８１ａに係合し続けているため、反射ミラー４０は待避位置に保持されたままの状態で、チャージレバー１４０及びセットレバー２６０によるシャッタ２０のチャージのみが行なわれる。
【００８８】
この後、先羽根用電磁石１５０及び後羽根用電磁石１６０が通電されると共に、図１１に示す状態から駆動モータ６０が正転させられる。そして、図１２に示すように、チャージカム８２が略１００°時計回りに回転しかつミラーアップカム８２が略１００°反時計回りに回転する。これにより、反射ミラー４０は待避位置に保持されたままの状態で、セットレバー２６０が休止位置（解除位置）に戻り、シャッタ２０のチャージを解除可能な状態となる。また、セットレバー２６０が解除位置に戻されることで、第１先羽根駆動レバー２３０が、反時計回りに回転して先羽根群２１を展開させて開口部１０１ａを覆い、撮像素子２００のリセット（初期化）を行なう。
この後、先羽根用電磁石１５０及び後羽根用電磁石１６０への通電が順次に断たれて、先ず、展開して閉鎖位置にある先羽根群２１が開口部１０１ａの下方（開放位置）に移動し、露出時間ｔをおいて、後羽根群２２が開口部１０１ａを覆うように展開して閉鎖位置に移動する。これら先羽根群２１及び後羽根群２２の露光動作により、撮像素子２００には被写体が撮影され、２コマ目の撮影が終了する。
【００８９】
再び、図１２に示す状態から駆動モータ６０が逆転させられ、チャージカム８２が略１００°反時計回りに回転しかつミラーアップカム８１が略１００°時計回りに回転して、図１１に示す状態となる。この際に、再び反射ミラー４０が待避位置に保持されたままの状態で、チャージレバー１４０及びセットレバー２６０によるシャッタ２０のチャージのみが行なわれる。
【００９０】
この後、先羽根用電磁石１５０及び後羽根用電磁石１６０が通電されると共に、図１１に示す状態から駆動モータ６０が正転させられる。そして、図１２に示すように、チャージカム８２が略１００°時計回りに回転しかつミラーアップカム８２が略１００°反時計回りに回転する。これにより、反射ミラー４０は待避位置に保持されたままの状態で、セットレバー２６０が休止位置（解除位置）に戻り、シャッタ２０のチャージを解除可能な状態となる。また、セットレバー２６０が解除位置に戻されることで、第１先羽根駆動レバー２３０が、反時計回りに回転して先羽根群２１を展開させて開口部１０１ａを覆い、撮像素子２００のリセット（初期化）を行なう。
この後、先羽根用電磁石１５０及び後羽根用電磁石１６０への通電が順次に断たれて、先ず、展開して閉鎖位置にある先羽根群２１が開口部１０１ａの下方（開放位置）に移動し、露出時間ｔをおいて、後羽根群２２が開口部１０１ａを覆うように展開して閉鎖位置に移動する。これら先羽根群２１及び後羽根群２２の露光動作により、撮像素子２００には被写体が撮影され、３コマ目の撮影が終了する。
以上のように、連続撮影モードにおいて、レリーズのスイッチがＯＮとされている間中、上記のようなシーケンス、すなわち、反射ミラー４０を待避位置に保持した状態でシャッタ２０のチャージ及びチャージの解除動作が繰り返されることになる。その後、レリーズのスイッチがＯＦＦとされると、ファインダとして光学ファインダ３０が選択されている場合は、直ちに図１０に示すように反射ミラー４０が反射位置に位置付けられて、光学ファインダ３０による被写体の確認が可能となる。
【００９１】
この実施形態によれば、反射ミラー４０を待避位置に保持したままの状態で連続撮影が行なわれるため、連続撮影の高速化すなわち単位時間当たりの撮影コマ数を増加させることができる。また、連続撮影の際に、駆動モータ６０の回転方向を交互に切り替えるようにしているため、シャッタ２０のチャージ及びその解除という一連のシーケンスに要する時間を短縮することができる。
【００９２】
尚、上記実施形態においては、連続撮影の際に、撮像素子２００にて写し出された被写体の画像を、画像表示部２１０により瞬間的に表示して、被写体のフレーミング等を行なうことも可能である。
【００９３】
【発明の効果】
以上述べたように、本発明のカメラ装置によれば、連続撮影の際には、連続撮影駆動手段が作動して、反射ミラーを待避位置に保持した状態で、シャッタのチャージ及びその解除動作が繰り返し行なわれるため、迅速に連続撮影を行なうことができる。これにより、単位時間当たりに連続撮影できるコマ数を増加させることができる。
また、連続撮影の際に、反射ミラーが連動することなく待避位置に保持されるため、反射ミラーの往復動による衝撃音あるいは振動さらにはバウンド等を招くことなく、その品質を向上させることができる。
また、連続撮影駆動手段を、ミラー駆動手段及びシャッタ駆動手段により構成し、これらを一つの駆動源により連動させて駆動させるようにしたことから、構造の簡略化を達成しつつ、反射ミラーとシャッタとを、所定のタイミングで確実に駆動させることができる。
さらに、シャッタとして先羽根群及び後羽根群を採用していることから、露光動作を高速化及び安定化させることができる。
【図面の簡単な説明】
【図１】本発明に係るカメラ装置の第一の実施形態における内部構造を示した側面図である。
【図２】本発明に係るカメラ装置の第一の実施形態における内部構造を示した側面図である。
【図３】本発明に係るカメラ装置の第一の実施形態における内部構造を示した側面図である。
【図４】本発明に係るカメラ装置の第一の実施形態における反射ミラー及びシャッタの駆動手段の一部を示した正面図である。
【図５】本発明に係るシャッタ駆動手段の動作を説明する図であり、（ａ）はシャッタのチャージをセットした後の状態、（ｂ）はレリーズ直後の状態、（ｃ）はシャッタのチャージをセットする前の状態を示した動作図である。
【図６】シャッタがチャージセットされた後の状態を示した正面図である。
【図７】レリーズ直後のシャッタの状態を示した正面図である。
【図８】シャッタがチャージセットされる前（あるいは露光動作後）の状態を示した正面図である。
【図９】本発明に係るカメラ装置の動作を示すタイムチャートである。
【図１０】本発明に係るカメラ装置の他の実施形態における内部構造を示した側面図である。
【図１１】本発明に係るカメラ装置の他の実施形態における内部構造を示した側面図である。
【図１２】本発明に係るカメラ装置の他の実施形態における内部構造を示した側面図である。
【図１３】本発明に係るシャッタ駆動手段の動作を説明する図であり、（ａ）はシャッタのチャージをセットする前の状態、（ｂ）はシャッタのチャージをセットした後の状態を示した動作図である。
【図１４】本発明に係るシャッタ駆動手段の動作を説明する図であり、（ａ）はレリーズ直後の状態、（ｂ）は露光動作直前の状態を示した動作図である。
【図１５】シャッタのチャージがセットされる前の状態を示した正面図である。
【図１６】シャッタのチャージがセットされた状態を示した正面図である。
【図１７】レリーズ直後のシャッタの状態を示した正面図である。
【図１８】露光動作直前のシャッタの状態を示した正面図である。
【図１９】本発明に係るカメラ装置の動作を示したタイムチャートである。
【符号の説明】
１０  撮影フィルム（撮影媒体）
２０（２１，２２）  シャッタ（先羽根群，後羽根群）
３０  光学ファインダ
４０  反射ミラー
６０  駆動モータ
７０  歯車列
７１  第１歯車、  ７３  第３歯車、  ７４  第４歯車
８１  ミラーアップカム（第１カム部材）
８２  チャージカム（第２カム部材）
９０  ミラーアップレバー（第１揺動レバー）
９１  第１端部（他端）、  ９２  第２端部（一端）
１００  支持軸
１０１ａ  開口部
１１０  先羽根駆動レバー
１１１  第１係合部
１２０  後羽根駆動レバー
１２１  第１係合部
１３０  セットレバー
１３１  突起部（一部）、  １３２  第１係合部、  １３３  第２係合部
１４０  チャージレバー（第２揺動レバー）
１４１  第１端部（一端）、  １４２  第２端部（他端）
１５０  先羽根用電磁石
１６０  後羽根用電磁石
２００  撮像素子（撮影媒体）
２１０  画像表示部
２３０  第１先羽根駆動レバー
２３１  第１係合部、  ２３２  第２係合部
２４０  第２先羽根駆動レバー
２４１  第１係合部、  ２４２  第２係合部
２５０  後羽根駆動レバー
２５１  第１係合部、  ２５２  第２係合部
２６０  セットレバー
２６１  突起部（一部）、  ２６２ａ  第１係合部、  ２６２ｂ  第２係合部
【図１】
0004702973.tif 000002
【図２】
0004702973.tif 000003
【図３】
0004702973.tif 000004
【図４】
0004702973.tif 000005
【図５】
0004702973.tif 000006
【図６】
0004702973.tif 000007
【図７】
0004702973.tif 000008
【図８】
0004702973.tif 000009
【図９】
0004702973.tif 000010
【図１０】
0004702973.tif 000011
【図１１】
0004702973.tif 000012
【図１２】
0004702973.tif 000013
【図１３】
0004702973.tif 000014
【図１４】
0004702973.tif 000015
【図１５】
0004702973.tif 000016
【図１６】
0004702973.tif 000017
【図１７】
0004702973.tif 000018
【図１８】
0004702973.tif 000019
【図１９】
0004702973.tif 000020